(57)【要約】  ここに開示される技術に係る音声記録装置は、音声入力部と、検出部と、制御部とを備える。音声入力部は、接続部と、音声受付部とを有する。接続部は、外部の収音装置と接続可能である。音声受付部は、収音装置からの音声信号の入力を受け付ける。検出部は、接続部に収音装置が接続されていることを検出する。制御部は、検出部が接続部に収音装置が接続されていることを検出するのに応じて、収音装置からの音声信号の入力状況を示す情報を表示する。
2012035675.tif 000002
【特許請求の範囲】
【請求項１】
外部の収音装置と接続可能な接続部と、前記収音装置からの音声信号の入力を受け付ける音声受付部とを有する音声入力部と、
前記接続部に前記収音装置が接続されていることを検出する検出部と、
前記検出部が前記接続部に前記収音装置が接続されていることを検出するのに応じて、前記収音装置からの前記音声信号の入力状況を示す情報を表示する制御部と、
を備えた音声記録装置。
【請求項２】
前記音声入力部は、内蔵の収音部をさらに有し、
前記音声受付部は、前記収音部からの音声信号の入力をさらに受け付ける、
請求項１に記載の音声記録装置。
【請求項３】
前記収音装置又は前記収音部からの前記音声信号の入力状況を示す情報を表示するか否かの設定の入力を受け付ける設定部、
をさらに備え、
前記制御部は、前記検出部が前記接続部に前記収音装置が接続されていることを検出するのに応じて、前記設定の内容によらず、前記収音装置からの前記音声信号の入力状況を示す情報を表示する、
請求項２記載の音声記録装置。
【請求項４】
表示部、
をさらに備え、
前記制御部は、前記収音装置からの前記音声信号の入力状況を示す情報を前記表示部に表示させる、
請求項１から３のいずれかに記載の音声記録装置。
【請求項５】
前記収音装置からの前記音声信号の入力状況を示す情報は、前記収音装置にて収音された前記音声信号の音声レベルを示す情報を含む、
請求項１から４のいずれかに記載の音声記録装置。
【請求項６】
前記検出部は、前記接続部と前記収音装置とが通信接続されていることを検出する、
請求項１から５のいずれかに記載の音声記録装置。
【発明の詳細な説明】
【技術分野】
【０００１】
ここに開示される技術は、外部マイクロホンを接続可能な音声記録装置に関する。
【背景技術】
【０００２】
外部マイクロホンの接続が可能であり、外部マイクロホンでの収音が可能な音声記録装置が知られている。このような音声記録装置において、使用者が外部マイクロホンのプラグを挿入し忘れることを防止するための構成が、特許文献１に開示されている。
この従来の音声記録装置では、音声記録装置のマイクロホンジャックへの外部マイクロホンのプラグの挿入の有無が検出され、未挿入である場合はその旨が音声記録装置のビューファインダに表示される。この構成により、外部マイクロホンを未装着のまま、音声が記録されてしまうことを防ぐことができる。
【先行技術文献】
【特許文献】
【０００３】
【特許文献１】特開平１１−１７７８６４号公報
【発明の概要】
【発明が解決しようとする課題】
【０００４】
このような従来の音声記録装置では、使用者は、外部マイクロホンが接続されていることを確認できても、外部マイクロホンがなんらかの理由により収音可能な状態になっていないことを確認できない。例えば、外部マイクロホンが電池駆動方式であり、その電池が消耗していた場合には、外部マイクロホンは収音が行えない。また、電池駆動方式の外部マイクロホンには、電池の消耗を抑制するために電源釦が備えられている場合があるが、使用者が電源釦をオンにし忘れることも考えられる。このような場合、たとえ外部マイクロホンのプラグが音声記録装置に接続されていても、外部マイクロホンは収音を行うことができない。そして、従来の音声記録装置では、使用者は、音声記録装置がこのような状態にあることを確認することができなかった。
ここに開示される技術は、外部マイクロホンにて収音可能な状態にあることを使用者がより正確に確認可能な音声記録装置を提供することを目的とする。
【課題を解決するための手段】
【０００５】
ここに開示される音声記録装置は、音声入力部と、検出部と、制御部とを備える。音声入力部は、接続部と、音声受付部とを有する。接続部は、外部の収音装置と接続可能である。音声受付部は、収音装置からの音声信号の入力を受け付ける。検出部は、接続部に収音装置が接続されていることを検出する。制御部は、検出部が接続部に収音装置が接続されていることを検出するのに応じて、収音装置からの音声信号の入力状況を示す情報を表示する。
【発明の効果】
【０００６】
ここに開示される技術によれば、音声記録装置が外部マイクロホンにて収音可能な状態にあることを使用者がより正確に確認することができる。
【図面の簡単な説明】
【０００７】
【図１】実施の形態１に係るデジタルカメラ１００の正面構成図。
【図２】実施の形態１に係るデジタルカメラ１００の背面構成図。
【図３】実施の形態１に係るデジタルカメラ１００の上面構成図。
【図４】実施の形態１に係るデジタルカメラ１００の電気的構成を示すブロック図。
【図５】実施の形態１に係るデジタルカメラ１００の撮影モード時の動作の流れを示すフローチャート。
【図６】実施の形態１に係るデジタルカメラ１００のモニタ表示の動作の流れを示すフローチャート。
【図７】実施の形態１に係る表示部１９０の表示内容を示す図。
【発明を実施するための形態】
【０００８】
〔実施の形態１〕
実施の形態１のデジタルカメラ１００は、内部マイクロホン１１１と、外部マイクロホン３００を接続するジャック２０３とを備える。デジタルカメラ１００は、内部マイクロホン１１１および外部マイクロホン３００のうちいずれか一方で収音し、音声記録を行う。以下、デジタルカメラ１００の構成および動作を説明する。
〔１．構成〕
以下、図を用いてデジタルカメラ１００の構成を説明する。
〔１−１．デジタルカメラ１００の構成〕
図１は、デジタルカメラ１００の正面構成図である。デジタルカメラ１００は、その正面に鏡筒１４１およびフラッシュ２００を備える。デジタルカメラ１００は、その上面にレリーズ釦１８１、ズームレバー１８２、電源釦１８３およびモードダイヤル１８４などの操作部１８０、およびシュー２０１を備える。外部マイクロホン３００は、機械的かつ電気的に、デジタルカメラ１００と接続可能である。シュー２０１は、外部マイクロホン３００を機械的に固定できる。外部マイクロホン３００は、収音部３０１、収音部３０１に連結したケーブル３０２およびケーブル３０２に連結したプラグ３０３を備える。プラグ３０３は、デジタルカメラ１００が側面に具備するジャック２０３と電気的に接続可能である。外部マイクロホン３００の収音部３０１にて収音された音声信号は、ケーブル３０２、プラグ３０３およびジャック２０３を介してデジタルカメラ１００の音声処理部１１５，１２０等に入力される。
【０００９】
図２は、デジタルカメラ１００の背面構成図である。デジタルカメラ１００は、その背面に中央釦１８５および十字釦１８６などの操作部１８０、および表示部１９０を備える。
図３は、デジタルカメラ１００の上面構成図である。デジタルカメラ１００の上面には、マイク孔２１０が形成されている。デジタルカメラ１００は、マイク孔２１０の下部に、内部マイクロホン１１１を備える。
図４は、デジタルカメラ１００の電気的構成図である。デジタルカメラ１００は、画像入力系１４０、音声入力系１１０、デジタル画像・音声処理部１２０、コントローラ１３０、ＲＡＭ１５０、外部記憶媒体１６０、ＲＯＭ１７０、操作部１８０、表示部１９０およびスピーカー１９５を備える。
【００１０】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０に表示される。外部記憶媒体１６０に記録された音声信号は、使用者による操作部１８０の操作を受け付けて、スピーカー１９５から出力される。
以下、図１から図４に示す各部の詳細を説明する。
画像入力系１４０は、鏡筒１４１、レンズ制御部１４２、ＣＣＤイメージセンサ１４３およびＡＦＥ（アナログ・フロント・エンド）１４４を備える。
【００１１】
鏡筒１４１は、複数のレンズを有する光学系である。鏡筒１４１は、レンズ制御部１４２から通知された制御信号に従って駆動されたモータによって、被写体のフォーカス調節、画角調節、入射する光量調節、手ぶれ補正などを行い、被写体像を形成する。
ＣＣＤイメージセンサ１４３は、鏡筒１４１を通して形成された被写体像を撮像して画像情報を生成する。ＣＣＤイメージセンサ１４３の受光面には、多数のフォトダイオードが次元的に（マトリクス状に）配列されている。また、各フォトダイオードに対応して、Ｒ、ＧまたはＢの原色カラーフィルターが配置されている。Ｒ、ＧおよびＢの原色カラーフィルターは、所定の配列構造で配置されている。撮像対象となる被写体からの光は、鏡筒１４１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に変換される。その結果、被写体像全体を示す画像情報が生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００１２】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１４４は、画像情報をデジタル画像・音声処理部１２０に出力する。
音声入力系１１０は、内部マイクロホン１１１、ジャック２０３、検出部２０２およびアナログ音声処理部１１５を備える。検出部２０２は、外部マイクロホン３００のプラグ３０３がジャック２０３に接続されているかどうかを検出する。検出方法は、機械的な方法でも電気的な方法でもよい。なお、機械的な方法とは、例えば、プラグ３０３がジャック２０３に接続されている場合には、プラグ３０３の先端がスイッチを押下し、検出部２０２がその押下の状態を検出できるように構成する方法である。電気的な方法とは、例えば、プラグ３０３がジャック２０３に接続されているか否かで電気抵抗値が変化するような所定の配線を用意し、検出部２０２がその電気抵抗値を検出できるように構成する方法である。検出部２０２によりプラグ３０３がジャック２０３に接続されていることが検知されると、アナログ音声処理部１１５は、外部マイクロホン３００の入力を内部マイクロホン１１１の入力よりも優先して選択して処理する。一方、検出部２０２によりプラグ３０３がジャック２０３に接続されていないことが検知されると、アナログ音声処理部１１５は、内部マイクロホン１１１の入力を処理する。つまり、デジタルカメラ１００は、外部マイクロホン３００が接続されている間は、外部マイクロホン３００にて収音を行い、外部マイクロホン３００が接続されていない間は、内部マイクロホン１１１にて収音を行う。従って、アナログ音声処理部１１５は、外部マイクロホン３００および内部マイクロホン１１１からの音声信号の入力を受け付けることができるが、同じタイミングでは、外部マイクロホン３００および内部マイクロホン１１１のうちいずれか一方からの音声信号のみを処理する。
【００１３】
アナログ音声処理部１１５は、処理した音声信号をＡ／ＤコンバータによりＡ／Ｄ変換し、デジタル画像・音声処理部１２０に出力する。
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００１４】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像および再生画像などがある。スルー画像は、ＣＣＤイメージセンサ１４３により一定時間ごとに連続的に新たに生成されるフレームの画像である。通常は、デジタルカメラ１００が撮影モードに設定されており、かつ静止画撮影を行っていない待機状態、または動画撮影状態にあるときに、デジタル画像・音声処理部１２０がＣＣＤイメージセンサ１４３の生成した画像情報からスルー画像を生成する。使用者は、表示部１９０に表示されるスルー画像を参照することにより、被写体の構図を確認しながら被写体を撮影できる。再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいてデジタル画像・音声処理部１２０により生成される。スピーカー１９５は、外部記憶媒体１６０に記録された音声信号を出力する。
【００１５】
また、表示部１９０は、内部マイクロホン１１１又は外部マイクロホン３００にて収音されている音声信号の入力状況を示す情報として、内部マイクロホン１１１又は外部マイクロホン３００にて収音されている音声信号の音声レベルをリアルタイムに示すレベルメータ７０１（図７参照）を表示可能である。音声レベルとは、音声の大小（ボリューム）である。
コントローラ１３０は、デジタルカメラ１００全体の動作を統括制御する。
ＲＯＭ１７０は、コントローラ１３０が実行するための、オートフォーカス制御（ＡＦ制御）や自動露出制御（ＡＥ制御）、フラッシュ２００の発光制御などに関するプログラムの他、デジタルカメラ１００全体の動作を統括制御するためのプログラムを格納している。
【００１６】
また、ＲＯＭ１７０は、音声レベルの選択表示の設定（レベルメータ７０１の表示又は非表示を選択する設定）を含む、デジタルカメラ１００に関する各種設定を記憶する。なお、本実施の形態では、ＲＯＭ１７０は、フラッシュＲＯＭである。
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００１７】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、ズームレバー１８２、電源釦１８３、モードダイヤル１８４、中央釦１８５および十字釦１８６などがこれにあたる。操作部１８０は、使用者による操作を受け付けると、コントローラ１３０に種々の動作を指示する信号を通知する。
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御および／またはＡＥ（Ａｕｔｏ  Ｅｘｐｏｓｕｒｅ）制御などを実行し、撮影条件を決定する。ＡＦ制御においては、デジタル画像・音声処理部１２０が画像情報の所定領域におけるコントラスト値を算出し、これに基づいてコントローラ１３０がレンズ制御部１４２を通じて鏡筒１４１を駆動させ、コントラスト値が最大になるようにフィードバック制御を行う。ＡＦ制御の結果、コントローラ１３０は、ＡＦ制御対象の被写体までの焦点距離を得ることができる。また、ＡＦ制御の結果、鏡筒１４１は、ＡＦ制御対象の被写体像をＣＣＤイメージセンサ１４３に結像させることができる。続いて、レリーズ釦１８１が使用者により全押しされると、コントローラ１３０は、全押しのタイミングに撮像された画像情報を外部記憶媒体１６０などに記録する。
【００１８】
ズームレバー１８２は、画角調節についての広角端と望遠端を有するレバーである。ズームレバー１８２は、使用者による操作が解除されると、中央位置に自動的に復帰する自己復帰式のレバーである。ズームレバー１８２は、使用者により操作されると、コントローラ１３０に鏡筒１４１を駆動させるよう指示する信号を通知する。すわなち、使用者がズームレバー１８２を広角側に移動させると、コントローラ１３０は、レンズ制御部１４２を介して被写体像を広角で捉えられるように鏡筒１４１を駆動する。同様に、使用者がズームレバー１８２を望遠側に移動させると、コントローラ１３０は、レンズ制御部１４２を介して被写体像を望遠で捉えられるように鏡筒１４１を駆動する。
電源釦１８３は、デジタルカメラ１００の各部への電力供給をＯＮ／ＯＦＦするためのスライド式釦である。電源ＯＦＦ時に電源釦１８３が使用者により右方にスライドされると、コントローラ１３０は、デジタルカメラ１００の各部に電力を供給し、各部を起動させる。電源ＯＮ時に電源釦１８３が使用者により左方にスライドされると、コントローラ１３０は、デジタルカメラ１００の各部への電力供給を停止する。
【００１９】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モード、再生モードなどである。なお、オート撮影モード、マニュアル撮影モードおよびシーン選択モードを、総称して撮影モードと呼ぶものとする。
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００２０】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
フラッシュ２００は、キセノン管と、コンデンサと、昇圧回路と、発光トリガ回路とを備える。昇圧回路は、コントローラ１３０からの制御信号に従って、コンデンサに高電圧を印加する。発光トリガ回路は、コントローラ１３０からの制御信号に従って、印加充電されたコンデンサの高電圧を放電させて、キセノン管内のキセノンガスを瞬間的に発光させる。発光トリガ回路は、コンデンサの高電圧を撮影と同期して放電させる。これにより、デジタルカメラ１００は、発光された被写体を撮影することができる。すなわち、フラッシュ２００が被写体に対して撮像時に瞬間的に発光することによって、被写体の明るさを補った撮影ができる。なお、フラッシュ２００の発光には、プリ発光と本発光がある。プリ発光は、フラッシュ発光による被写体からの反射光量の度合に基づいて被写体までの距離を判定し、判定結果に応じて撮影時のフラッシュ２００の発光量を求めるための、撮影事前の発光である。本発光は、プリ発光により求められた発光量により、撮影のタイミングと同期して実行される発光である。
【００２１】
〔１−２．本発明との対応関係〕
外部マイクロホン３００は、本発明の外部の収音装置の一例である。ジャック２０３は、本発明の接続部の一例である。アナログ音声処理部１１５は、本発明の音声受付部の一例である。音声入力系１１０は、本発明の音声入力部の一例である。検出部２０２は、本発明の検出部の一例である。コントローラ１３０は、本発明の制御部の一例である。レベルメータ７０１は、本発明の収音装置からの音声信号の入力状況を示す情報の一例である。内部マイクロホン１１１は、本発明の内蔵の収音部の一例である。操作部１８０は、本発明の設定部の一例である。表示部１９０は、本発明の表示部の一例である。デジタルカメラ１００は、本発明の音声記録装置の一例である。
〔２．動作〕
続いて、本実施の形態１に係るデジタルカメラ１００の撮影モード時の動作について説明する。デジタルカメラ１００は、撮影モードにおける待機状態または動画撮影中である動画撮影状態において、スルー画像を表示部１９０に表示する。デジタルカメラ１００は、外部マイクロホン３００が接続されている間、外部マイクロホン３００にて収音される音声信号の音声レベルを示す情報であるレベルメータ７０１を、音声レベルの選択表示の設定（レベルメータ７０１の表示又は非表示を選択する設定）に関わらず表示する。一方、デジタルカメラ１００は、外部マイクロホン３００が接続されていない間は、内部マイクロホン１１１にて収音される音声信号の音声レベルを示す情報であるレベルメータ７０１を、音声レベルの選択表示の設定に応じて表示する。以下では、図５から図７を用いて、まず撮影モード時の全体的な動作の流れについて説明し、次にモニタ表示の動作の流れについて説明し、次に表示部１９０の表示内容について説明する。
【００２２】
図５は、デジタルカメラ１００の撮影モード時の全体的な動作の流れを示すフローチャートである。電源釦１８３が操作されて電源が投入されると、デジタルカメラ１００は撮影モードに入る。また、デジタルカメラ１００は、モードダイヤル１８４が操作されて再生モードから撮影モードに切り換える指示が出された場合にも、撮影モードに入る。撮影モードに入ると、図５に示す処理が開始する。ステップＳ５０１において、コントローラ１３０は、表示部１９０に、デジタル画像・音声処理部１２０が出力するスルー画像を表示する。また、コントローラ１３０は、必要に応じて、デジタル画像・音声処理部１２０が出力する音声信号の音声レベルを判断し、音声レベルを示すレベルメータ７０１を表示部１９０に表示する。ここでいう音声レベルとは、内部マイクロホン１１１又は外部マイクロホン３００にて収音された音声信号の音声レベルである。つまり、コントローラ１３０は、内部マイクロホン１１１又は外部マイクロホン３００を介してアナログ音声処理部１１５に入力される音声信号の入力状況を判断する。ステップＳ５０１のモニタ表示の動作の詳細については、後述する。次に、ステップＳ５０２において、コントローラ１３０は、レリーズ釦１８１が押下されたかどうかを判定する。ステップＳ５０２においてレリーズ釦１８１が押下されたと判定されると、ステップＳ５０４の撮影動作が実行される。ステップＳ５０２においてレリーズ釦１８１が押下されていないと判定されると、ステップＳ５０３で撮影モードが判定される。ステップＳ５０３では、コントローラ１３０が、現在の動作モードが撮影モードかどうかを判定する。ステップＳ５０３において動作モードが撮影モードであると判定されると、撮影モード時の動作の始点であるステップＳ５０１に戻る。ステップＳ５０３において動作モードが撮影モードでないと判定されると、撮影モード時の動作が終了する。
【００２３】
図６は、図５のフローチャートに記載のモニタ表示（ステップＳ５０１）の動作の流れを示すフローチャートである。ステップＳ６０１において、コントローラ１３０は、デジタル画像・音声処理部１２０が出力するスルー画像を表示部１９０に表示する。ステップＳ６０２において、コントローラ１３０は、外部マイクロホン３００のプラグ３０３がジャック２０３に接続されているかどうかを、検出部２０２の検出結果により判定する。ステップＳ６０２において、プラグ３０３がジャック２０３に接続されている、すなわちデジタルカメラ１００に外部マイクロホン３００が接続されていると判定されると、ステップＳ６０３が実行される。上記のとおり、検出部２０２が、プラグ３０３がジャック２０３に接続されていることを検知したとき、アナログ音声処理部１１５は、外部マイクロホン３００の入力を内部マイクロホン１１１の入力よりも優先して選択して処理する。したがって、ステップＳ６０２の直後にステップＳ６０３が実行されるときの、デジタル画像・音声処理部１２０から出力される音声信号は、外部マイクロホン３００によって収音されたものである。ステップＳ６０３において、コントローラ１３０は、デジタル画像・音声処理部１２０が出力する音声レベルを示すレベルメータ７０１を、スルー画像に重ねて表示部１９０に表示する。つまり、デジタルカメラ１００に外部マイクロホン３００が接続されている間、デジタルカメラ１００は、音声レベルの選択表示に関する設定内容に関わらず、レベルメータ７０１を表示部１９０に表示する。
【００２４】
ステップＳ６０２において、プラグ３０３がジャック２０３に接続されていない、すなわちデジタルカメラ１００に外部マイクロホン３００が接続されていないと判定されると、ステップＳ６０４が実行される。上記のとおり、検出部２０２が、プラグ３０３がジャック２０３に接続されていないことを検知したとき、アナログ音声処理部１１５は、内部マイクロホン１１１の入力を選択して処理する。したがって、ステップＳ６０４の直後にステップＳ６０３が実行されるときの、デジタル画像・音声処理部１２０から出力される音声信号は、内部マイクロホン１１１によって収音されたものである。ステップＳ６０４において、コントローラ１３０は、ＲＯＭ１７０に記憶されているデジタルカメラ１００の設定内容を参照し、音声レベルの選択表示の設定がＯＮであるかどうかを判定する。ステップＳ６０４において音声レベルの選択表示の設定がＯＮであると判定されると、ステップＳ６０３が実行される。ステップＳ６０３において、コントローラ１３０は、デジタル画像・音声処理部１２０が出力する音声レベルを示すレベルメータ７０１を表示部１９０に表示する。ステップＳ６０４において、音声レベルの選択表示の設定がＯＮでないと判定されると、ステップＳ６０５が実行される。ステップＳ６０５において、コントローラ１３０は、デジタル画像・音声処理部１２０が出力する音声レベルを示すレベルメータ７０１を表示部１９０に表示しないようにする。つまり、ステップＳ６０５において、コントローラ１３０は、表示部１９０にレベルメータ７０１が現在表示されている場合には、レベルメータ７０１を消灯させ、表示されていない場合には、何もしない。ステップＳ６０３におけるレベルメータ７０１を表示する処理、もしくは、ステップＳ６０５におけるレベルメータ７０１を表示しない処理、のどちらかの処理が終了したら、モニタ表示の動作は終了する。つまり、デジタルカメラ１００に外部マイクロホン３００が接続されていないとき、デジタルカメラ１００は、使用者による設定内容に応じてレベルメータ７０１を表示部１９０に表示するかどうか判断する。
【００２５】
図７は、表示部１９０の表示内容を示す図である。撮影モード時、表示部１９０は、デジタル画像・音声処理部１２０が出力するスルー画像を表示すると同時に、デジタル画像・音声処理部１２０が出力する音声信号の音声レベルを示すレベルメータ７０１を表示することが出来る。コントローラ１３０によるレベルメータ７０１を表示するか表示しないかの判断は、図６に示すモニタ表示の動作で決定する。図６に示すモニタ表示の動作で、ステップＳ６０５に遷移して、コントローラ１３０がレベルメータ７０１を表示部１９０に表示しないことを決定すると、図７（Ａ）のようにレベルメータ７０１は表示部１９０に表示されない。図６に示すモニタ表示の動作で、ステップＳ６０３に遷移して、コントローラ１３０がレベルメータ７０１を表示部１９０に表示することを決定すると、図７（Ｂ）のようにレベルメータ７０１は表示部１９０に表示される。
【００２６】
音声レベルの選択表示の設定がＯＮとなるかＯＦＦとなるかは、次のように決定される。使用者が中央釦１８５を押下する等の所定の操作を行うと、デジタルカメラ１００は、各種設定項目の値の変更を受け付けるモードに入り、表示部１９０にメニュー画面が表示される。次に、使用者は、十字釦１８６を押下する等の所定の操作を行って、音声レベルの選択表示に関する設定項目の値が管理されている階層にアクセスする。そして、使用者は、さらに十字釦１８６を押下する等の所定の操作を行って、音声レベルの選択表示の設定をＯＮにするかＯＦＦにするかを切り替える。使用者により設定された内容は、ＲＯＭ１７０に記憶される。つまり、十字釦１８６および中央釦１８５等の操作部１８０は、レベルメータ７０１を表示するか否かの設定の入力を受け付けるユニットである。
〔３．まとめ〕
以上のように、検出部２０２により外部マイクロホン３００がデジタルカメラ１００に電気的に接続されたことが検出されると、ＲＯＭ１７０に記憶されている音声レベルの選択表示の設定によらず、コントローラ１３０が音声レベルを示すレベルメータ７０１を表示部１９０に表示する。これにより、使用者は、外部マイクロホン３００により収音されている音声信号の音声レベルを即座に（つまり、リアルタイムに）確認することが出来る。
【００２７】
外部マイクロホン３００が故障している等のなんらかの理由により収音ができない場合、音声レベルを示すレベルメータ７０１が動かないので、使用者は音声記録が出来ていないことを即座に確認することが出来る。ケーブル３０２が断線してマイクロホン３００の音声信号がデジタルカメラ１００に入力されていない場合も同様に、使用者は音声記録が出来ていないことを即座に確認することが出来る。外部マイクロホン３００が、デジタルカメラ１００に格納された電池とは別の電池で駆動するタイプであり、且つ、その電池が入っていないか若しくはその電池が消耗している場合も同様に、使用者は音声記録が出来ていないことを即座に確認することが出来る。外部マイクロホン３００が、デジタルカメラ１００とは別の電源釦で電源のＯＮとＯＦＦとを切り替えるタイプであり、且つ、その電源がＯＦＦである場合も同様に、使用者は音声記録が出来ていないことを即座に確認することが出来る。以上のように、ここに開示される技術は、使用者が音声記録が出来ていないことに気づかずに撮影することの防止に役立つ。従って、使用者は、デジタルカメラ１００が外部マイクロホン３００にて収音可能な状態にあるか否かを正確に判断することができる。
【００２８】
〔他の実施の形態〕
本発明は、上記実施の形態に限定されず、種々の実施形態が考えられる。以下、本発明の他の実施の形態について記載する。
（１）
上記実施の形態において、音声信号の入力状況を示す情報として、表示部１９０に音声信号の音声レベルを示すレベルメータ７０１を表示するものとしたが、音声信号の入力状況を示す情報の表示の態様は、これに限定されない。例えば、音声信号の入力状況を示す情報の表示の態様は、無音状態以外であるときに、音声が入力されていることを示すアイコンが表示される態様であってもよい。
（２）
上記実施の形態において、デジタルカメラ１００は、鏡筒１４１が固定された構成を有するものとした。しかし、鏡筒１４１がデジタルカメラ１００に対して交換可能であってもよい。
【００２９】
（３）
上記実施の形態において、外部マイクロホン３００は、シュー２０１に機械的に固定されるものとした。しかし、外部マイクロホン３００による収音時に、外部マイクロホン３００がシュー２０１、ひいてはデジタルカメラ１００に固定されている必要はなく、外部マイクロホン３００がデジタルカメラ１００に電気的に接続され、外部マイクロホン３００にて収音されている音声信号をデジタルカメラ１００に入力できればよい。
（４）
上記実施の形態において、外部マイクロホン３００にて収音された音声信号は、電気的に接続されたプラグ３０３およびジャック２０３を経由して、デジタルカメラ１００に入力されるものとしたが、次のように変更してもよい。
【００３０】
すなわち、シュー２０１が電気接続用の端子を備える。外部マイクロホン３００は、シュー２０１に機械的に固定されるのと同時に、この端子に電気接続される。外部マイクロホン３００は、この端子を経由して音声信号をデジタルカメラ１００に入力する。検出部２０２は、外部マイクロホン３００がシュー２０１に機械的に固定（接続）されたこと、またはこの端子に電気的に接続されたことを検出する。
（５）
上記実施の形態において、外部マイクロホン３００は、デジタルカメラ１００と有線接続されるものとした。しかし、外部マイクロホン３００は、音声信号をデジタルカメラ１００に有線接続を介して入力する必要はなく、無線接続を介して入力してもよい。その場合、例えば、外部マイクロホン３００は、マイク側通信部を備える。また、音声入力系１１０は、カメラ側通信部（接続部の一例）を備える。マイク側通信部とカメラ側通信部との間で無線接続が確立されると、デジタルカメラ１００は、外部マイクロホン３００により収音される音声信号の受信を開始する。また、無線接続が確立されると、検出部２０２が、外部マイクロホン３００がデジタルカメラ１００に接続されたことを検出する。以後の処理は、上記実施の形態と同様である。
【００３１】
（６）
上記実施の形態において、デジタル画像・音声処理部１２０およびコントローラ１３０は、各々上記のような機能および構成を有するものとして説明したが、各々の持つ機能および構成の一部が他方に含まれるような構成としてもよい。
（７）
上記実施の形態において、ＣＣＤイメージセンサ１４３を、撮像素子の一例として説明したが、本発明はこれに限定されない。すなわち、ＣＭＯＳイメージセンサや、ＮＭＯＳイメージセンサなど、他の撮像素子であっても本発明に適用可能である。
（８）
上記実施の形態において、本発明をデジタルカメラ１００に適用した例を説明したが、本発明は、音声信号を扱うことができさえすれば、画像情報を扱うことができないその他の装置にも適用可能である。例えば、本発明は、内部マイクロホンを備え、外部マイクロホンを接続可能であるボイスレコーダのような音声記録装置にも同様に適用可能である。また、本発明は、内部マイクロホンを備えていない音声記録装置にも同様に適用可能である。
【００３２】
（９）
上記実施の形態において、表示部１９０は、液晶ディスプレイであるものとしたが、本発明はこれに限定されない。表示部１９０は、例えば、ＬＥＤランプであってもよい。そして、ＬＥＤランプの点灯数、色等により、音声信号の入力状況が示されるようになっていてもよい。
（１０）
上記実施の形態では、図５および図６のフローチャートが示すとおり、外部マイクロホン３００のプラグ３０３がデジタルカメラ１００のジャック２０３に一度接続されると、当該接続が解除されない限り、レベルメータ７０１が表示され続けるものとしたが、本発明はこれに限定されない。例えば、プラグ３０３がジャック２０３に接続されると、一旦表示部１９０上にレベルメータ７０１が表示されるものの、その後、使用者が手動でレベルメータ７０１を消灯できるようにしてもよい。その場合、使用者が手動でレベルメータ７０１を消灯させた後、プラグ３０３がジャック２０３に再接続されると、再び表示部１９０上にレベルメータ７０１が表示されるようにすることが好ましい。言い換えると、プラグ３０３がジャック２０３に接続される度に、その後手動で消灯させることが可能であるにしても、一旦、表示部１９０上にレベルメータ７０１が表示されるようにすることが好ましい。
【産業上の利用可能性】
【００３３】
ここに開示される技術によれば、音声記録装置が外部マイクロホンにて収音可能な状態にあることを使用者がより正確に確認することができる。従って、ここに開示される技術は、デジタルカメラだけでなく、ムービーカメラ、携帯電話、ボイスレコーダなど、外部マイクロホンを用いて音声データの記録を行う他の種類の音声記録装置にも適用可能である。
【符号の説明】
【００３４】
１００  デジタルカメラ
１１０  音声入力系
１１１  内部マイクロホン
１１５  アナログ音声処理部
１２０  デジタル画像・音声処理部
１３０  コントローラ
１４０  画像入力系
１４１  鏡筒
１４２  レンズ制御部
１４３  ＣＣＤイメージセンサ
１５０  ＲＡＭ
１６０  外部記憶媒体
１７０  ＲＯＭ
１８０  操作部
１８１  レリーズ釦
１８２  ズームレバー
１８３  電源釦
１８４  モードダイヤル
１８５  中央釦
１８６  十字釦
１９０  表示部
１９５  スピーカー
２００  フラッシュ
２０２  検出部
２０３  ジャック
２１０  マイク孔
３００  外部マイクロホン
３０１  収音部
３０２  ケーブル
３０３  プラグ
【図１】
2012035675.tif 000003
【図２】
2012035675.tif 000004
【図３】
2012035675.tif 000005
【図４】
2012035675.tif 000006
【図５】
2012035675.tif 000007
【図６】
2012035675.tif 000008
【図７】
2012035675.tif 000009
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
外部の収音装置と接続可能な接続部と、前記収音装置からの音声信号の入力を、受け付ける音声受付部とを、有する音声入力部と、
前記接続部に前記収音装置が接続されていることを検出する検出部と、
前記収音装置からの前記音声信号の入力状況を示す情報を表示するか否かの設定の入力を、受け付ける設定部と、
前記検出部が前記接続部に前記収音装置が接続されていることを検出するのに応じて、前記設定の内容によらず、前記収音装置からの前記音声信号の入力状況を示す情報を表示する制御部と、
を備えた音声記録装置。
【請求項２】
前記音声入力部は、内蔵の収音部をさらに有し、
前記音声受付部は、前記収音部からの音声信号の入力をさらに受け付け、
前記設定部は、前記収音部からの前記音声信号の入力状況を示す情報を表示するか否かの設定の入力を、さらに受け付ける、
請求項１に記載の音声記録装置。
【請求項３】
表示部、
をさらに備え、
前記制御部は、前記収音装置からの前記音声信号の入力状況を示す情報を前記表示部に表示させる、
請求項１又は２に記載の音声記録装置。
【請求項４】
前記収音装置からの前記音声信号の入力状況を示す情報は、前記収音装置にて収音された前記音声信号の音声レベルを示す情報を含む、
請求項１から３のいずれかに記載の音声記録装置。
【請求項５】
前記検出部は、前記接続部と前記収音装置とが通信接続されていることを検出する、
請求項１から４のいずれかに記載の音声記録装置。
【手続補正２】
【補正対象書類名】明細書
【補正対象項目名】全文
【補正方法】変更
【補正の内容】
【発明の詳細な説明】
【技術分野】
【０００１】
ここに開示される技術は、外部マイクロホンを接続可能な音声記録装置に関する。
【背景技術】
【０００２】
外部マイクロホンの接続が可能であり、外部マイクロホンでの収音が可能な音声記録装置が知られている。このような音声記録装置において、使用者が外部マイクロホンのプラグを挿入し忘れることを防止するための構成が、特許文献１に開示されている。
この従来の音声記録装置では、音声記録装置のマイクロホンジャックへの外部マイクロホンのプラグの挿入の有無が検出され、未挿入である場合はその旨が音声記録装置のビューファインダに表示される。この構成により、外部マイクロホンを未装着のまま、音声が記録されてしまうことを防ぐことができる。
【先行技術文献】
【特許文献】
【０００３】
【特許文献１】特開平１１−１７７８６４号公報
【発明の概要】
【発明が解決しようとする課題】
【０００４】
このような従来の音声記録装置では、使用者は、外部マイクロホンが接続されていることを確認できても、外部マイクロホンがなんらかの理由により収音可能な状態になっていないことを確認できない。例えば、外部マイクロホンが電池駆動方式であり、その電池が消耗していた場合には、外部マイクロホンは収音が行えない。また、電池駆動方式の外部マイクロホンには、電池の消耗を抑制するために電源釦が備えられている場合があるが、使用者が電源釦をオンにし忘れることも考えられる。このような場合、たとえ外部マイクロホンのプラグが音声記録装置に接続されていても、外部マイクロホンは収音を行うことができない。そして、従来の音声記録装置では、使用者は、音声記録装置がこのような状態にあることを確認することができなかった。
ここに開示される技術は、外部マイクロホンにて収音可能な状態にあることを使用者がより正確に確認可能な音声記録装置を提供することを目的とする。
【課題を解決するための手段】
【０００５】
ここに開示される音声記録装置は、音声入力部と、検出部と、設定部と、制御部とを、備える。音声入力部は、接続部と、音声受付部とを、有する。接続部は、外部の収音装置と接続可能である。音声受付部は、収音装置からの音声信号の入力を、受け付ける。検出部は、接続部に収音装置が接続されていることを検出する。設定部は、収音装置からの音声信号の入力状況を示す情報を表示するか否かの設定の入力を、受け付ける。制御部は、検出部が接続部に収音装置が接続されていることを検出するのに応じて、設定の内容によらず、収音装置からの音声信号の入力状況を示す情報を表示する。
【発明の効果】
【０００６】
ここに開示される技術によれば、音声記録装置が外部マイクロホンにて収音可能な状態にあることを使用者がより正確に確認することができる。
【図面の簡単な説明】
【０００７】
【図１】実施の形態１に係るデジタルカメラ１００の正面構成図。
【図２】実施の形態１に係るデジタルカメラ１００の背面構成図。
【図３】実施の形態１に係るデジタルカメラ１００の上面構成図。
【図４】実施の形態１に係るデジタルカメラ１００の電気的構成を示すブロック図。
【図５】実施の形態１に係るデジタルカメラ１００の撮影モード時の動作の流れを示すフローチャート。
【図６】実施の形態１に係るデジタルカメラ１００のモニタ表示の動作の流れを示すフローチャート。
【図７】実施の形態１に係る表示部１９０の表示内容を示す図。
【発明を実施するための形態】
【０００８】
〔実施の形態１〕
実施の形態１のデジタルカメラ１００は、内部マイクロホン１１１と、外部マイクロホン３００を接続するジャック２０３とを備える。デジタルカメラ１００は、内部マイクロホン１１１および外部マイクロホン３００のうちいずれか一方で収音し、音声記録を行う。以下、デジタルカメラ１００の構成および動作を説明する。
〔１．構成〕
以下、図を用いてデジタルカメラ１００の構成を説明する。
〔１−１．デジタルカメラ１００の構成〕
図１は、デジタルカメラ１００の正面構成図である。デジタルカメラ１００は、その正面に鏡筒１４１およびフラッシュ２００を備える。デジタルカメラ１００は、その上面にレリーズ釦１８１、ズームレバー１８２、電源釦１８３およびモードダイヤル１８４などの操作部１８０、およびシュー２０１を備える。外部マイクロホン３００は、機械的かつ電気的に、デジタルカメラ１００と接続可能である。シュー２０１は、外部マイクロホン３００を機械的に固定できる。外部マイクロホン３００は、収音部３０１、収音部３０１に連結したケーブル３０２およびケーブル３０２に連結したプラグ３０３を備える。プラグ３０３は、デジタルカメラ１００が側面に具備するジャック２０３と電気的に接続可能である。外部マイクロホン３００の収音部３０１にて収音された音声信号は、ケーブル３０２、プラグ３０３およびジャック２０３を介してデジタルカメラ１００の音声処理部１１５，１２０等に入力される。
【０００９】
図２は、デジタルカメラ１００の背面構成図である。デジタルカメラ１００は、その背面に中央釦１８５および十字釦１８６などの操作部１８０、および表示部１９０を備える。
図３は、デジタルカメラ１００の上面構成図である。デジタルカメラ１００の上面には、マイク孔２１０が形成されている。デジタルカメラ１００は、マイク孔２１０の下部に、内部マイクロホン１１１を備える。
図４は、デジタルカメラ１００の電気的構成図である。デジタルカメラ１００は、画像入力系１４０、音声入力系１１０、デジタル画像・音声処理部１２０、コントローラ１３０、ＲＡＭ１５０、外部記憶媒体１６０、ＲＯＭ１７０、操作部１８０、表示部１９０およびスピーカー１９５を備える。
【００１０】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０に表示される。外部記憶媒体１６０に記録された音声信号は、使用者による操作部１８０の操作を受け付けて、スピーカー１９５から出力される。
以下、図１から図４に示す各部の詳細を説明する。
画像入力系１４０は、鏡筒１４１、レンズ制御部１４２、ＣＣＤイメージセンサ１４３およびＡＦＥ（アナログ・フロント・エンド）１４４を備える。
【００１１】
鏡筒１４１は、複数のレンズを有する光学系である。鏡筒１４１は、レンズ制御部１４２から通知された制御信号に従って駆動されたモータによって、被写体のフォーカス調節、画角調節、入射する光量調節、手ぶれ補正などを行い、被写体像を形成する。
ＣＣＤイメージセンサ１４３は、鏡筒１４１を通して形成された被写体像を撮像して画像情報を生成する。ＣＣＤイメージセンサ１４３の受光面には、多数のフォトダイオードが次元的に（マトリクス状に）配列されている。また、各フォトダイオードに対応して、Ｒ、ＧまたはＢの原色カラーフィルターが配置されている。Ｒ、ＧおよびＢの原色カラーフィルターは、所定の配列構造で配置されている。撮像対象となる被写体からの光は、鏡筒１４１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に変換される。その結果、被写体像全体を示す画像情報が生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００１２】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１４４は、画像情報をデジタル画像・音声処理部１２０に出力する。
音声入力系１１０は、内部マイクロホン１１１、ジャック２０３、検出部２０２およびアナログ音声処理部１１５を備える。検出部２０２は、外部マイクロホン３００のプラグ３０３がジャック２０３に接続されているかどうかを検出する。検出方法は、機械的な方法でも電気的な方法でもよい。なお、機械的な方法とは、例えば、プラグ３０３がジャック２０３に接続されている場合には、プラグ３０３の先端がスイッチを押下し、検出部２０２がその押下の状態を検出できるように構成する方法である。電気的な方法とは、例えば、プラグ３０３がジャック２０３に接続されているか否かで電気抵抗値が変化するような所定の配線を用意し、検出部２０２がその電気抵抗値を検出できるように構成する方法である。検出部２０２によりプラグ３０３がジャック２０３に接続されていることが検知されると、アナログ音声処理部１１５は、外部マイクロホン３００の入力を内部マイクロホン１１１の入力よりも優先して選択して処理する。一方、検出部２０２によりプラグ３０３がジャック２０３に接続されていないことが検知されると、アナログ音声処理部１１５は、内部マイクロホン１１１の入力を処理する。つまり、デジタルカメラ１００は、外部マイクロホン３００が接続されている間は、外部マイクロホン３００にて収音を行い、外部マイクロホン３００が接続されていない間は、内部マイクロホン１１１にて収音を行う。従って、アナログ音声処理部１１５は、外部マイクロホン３００および内部マイクロホン１１１からの音声信号の入力を受け付けることができるが、同じタイミングでは、外部マイクロホン３００および内部マイクロホン１１１のうちいずれか一方からの音声信号のみを処理する。
【００１３】
アナログ音声処理部１１５は、処理した音声信号をＡ／ＤコンバータによりＡ／Ｄ変換し、デジタル画像・音声処理部１２０に出力する。
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００１４】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像および再生画像などがある。スルー画像は、ＣＣＤイメージセンサ１４３により一定時間ごとに連続的に新たに生成されるフレームの画像である。通常は、デジタルカメラ１００が撮影モードに設定されており、かつ静止画撮影を行っていない待機状態、または動画撮影状態にあるときに、デジタル画像・音声処理部１２０がＣＣＤイメージセンサ１４３の生成した画像情報からスルー画像を生成する。使用者は、表示部１９０に表示されるスルー画像を参照することにより、被写体の構図を確認しながら被写体を撮影できる。再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいてデジタル画像・音声処理部１２０により生成される。スピーカー１９５は、外部記憶媒体１６０に記録された音声信号を出力する。
【００１５】
また、表示部１９０は、内部マイクロホン１１１又は外部マイクロホン３００にて収音されている音声信号の入力状況を示す情報として、内部マイクロホン１１１又は外部マイクロホン３００にて収音されている音声信号の音声レベルをリアルタイムに示すレベルメータ７０１（図７参照）を表示可能である。音声レベルとは、音声の大小（ボリューム）である。
コントローラ１３０は、デジタルカメラ１００全体の動作を統括制御する。
ＲＯＭ１７０は、コントローラ１３０が実行するための、オートフォーカス制御（ＡＦ制御）や自動露出制御（ＡＥ制御）、フラッシュ２００の発光制御などに関するプログラムの他、デジタルカメラ１００全体の動作を統括制御するためのプログラムを格納している。
【００１６】
また、ＲＯＭ１７０は、音声レベルの選択表示の設定（レベルメータ７０１の表示又は非表示を選択する設定）を含む、デジタルカメラ１００に関する各種設定を記憶する。なお、本実施の形態では、ＲＯＭ１７０は、フラッシュＲＯＭである。
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００１７】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、ズームレバー１８２、電源釦１８３、モードダイヤル１８４、中央釦１８５および十字釦１８６などがこれにあたる。操作部１８０は、使用者による操作を受け付けると、コントローラ１３０に種々の動作を指示する信号を通知する。
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御および／またはＡＥ（Ａｕｔｏ  Ｅｘｐｏｓｕｒｅ）制御などを実行し、撮影条件を決定する。ＡＦ制御においては、デジタル画像・音声処理部１２０が画像情報の所定領域におけるコントラスト値を算出し、これに基づいてコントローラ１３０がレンズ制御部１４２を通じて鏡筒１４１を駆動させ、コントラスト値が最大になるようにフィードバック制御を行う。ＡＦ制御の結果、コントローラ１３０は、ＡＦ制御対象の被写体までの焦点距離を得ることができる。また、ＡＦ制御の結果、鏡筒１４１は、ＡＦ制御対象の被写体像をＣＣＤイメージセンサ１４３に結像させることができる。続いて、レリーズ釦１８１が使用者により全押しされると、コントローラ１３０は、全押しのタイミングに撮像された画像情報を外部記憶媒体１６０などに記録する。
【００１８】
ズームレバー１８２は、画角調節についての広角端と望遠端を有するレバーである。ズームレバー１８２は、使用者による操作が解除されると、中央位置に自動的に復帰する自己復帰式のレバーである。ズームレバー１８２は、使用者により操作されると、コントローラ１３０に鏡筒１４１を駆動させるよう指示する信号を通知する。すわなち、使用者がズームレバー１８２を広角側に移動させると、コントローラ１３０は、レンズ制御部１４２を介して被写体像を広角で捉えられるように鏡筒１４１を駆動する。同様に、使用者がズームレバー１８２を望遠側に移動させると、コントローラ１３０は、レンズ制御部１４２を介して被写体像を望遠で捉えられるように鏡筒１４１を駆動する。
電源釦１８３は、デジタルカメラ１００の各部への電力供給をＯＮ／ＯＦＦするためのスライド式釦である。電源ＯＦＦ時に電源釦１８３が使用者により右方にスライドされると、コントローラ１３０は、デジタルカメラ１００の各部に電力を供給し、各部を起動させる。電源ＯＮ時に電源釦１８３が使用者により左方にスライドされると、コントローラ１３０は、デジタルカメラ１００の各部への電力供給を停止する。
【００１９】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モード、再生モードなどである。なお、オート撮影モード、マニュアル撮影モードおよびシーン選択モードを、総称して撮影モードと呼ぶものとする。
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００２０】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
フラッシュ２００は、キセノン管と、コンデンサと、昇圧回路と、発光トリガ回路とを備える。昇圧回路は、コントローラ１３０からの制御信号に従って、コンデンサに高電圧を印加する。発光トリガ回路は、コントローラ１３０からの制御信号に従って、印加充電されたコンデンサの高電圧を放電させて、キセノン管内のキセノンガスを瞬間的に発光させる。発光トリガ回路は、コンデンサの高電圧を撮影と同期して放電させる。これにより、デジタルカメラ１００は、発光された被写体を撮影することができる。すなわち、フラッシュ２００が被写体に対して撮像時に瞬間的に発光することによって、被写体の明るさを補った撮影ができる。なお、フラッシュ２００の発光には、プリ発光と本発光がある。プリ発光は、フラッシュ発光による被写体からの反射光量の度合に基づいて被写体までの距離を判定し、判定結果に応じて撮影時のフラッシュ２００の発光量を求めるための、撮影事前の発光である。本発光は、プリ発光により求められた発光量により、撮影のタイミングと同期して実行される発光である。
【００２１】
〔１−２．本発明との対応関係〕
外部マイクロホン３００は、本発明の外部の収音装置の一例である。ジャック２０３は、本発明の接続部の一例である。アナログ音声処理部１１５は、本発明の音声受付部の一例である。音声入力系１１０は、本発明の音声入力部の一例である。検出部２０２は、本発明の検出部の一例である。コントローラ１３０は、本発明の制御部の一例である。レベルメータ７０１は、本発明の収音装置からの音声信号の入力状況を示す情報の一例である。内部マイクロホン１１１は、本発明の内蔵の収音部の一例である。操作部１８０は、本発明の設定部の一例である。表示部１９０は、本発明の表示部の一例である。デジタルカメラ１００は、本発明の音声記録装置の一例である。
〔２．動作〕
続いて、本実施の形態１に係るデジタルカメラ１００の撮影モード時の動作について説明する。デジタルカメラ１００は、撮影モードにおける待機状態または動画撮影中である動画撮影状態において、スルー画像を表示部１９０に表示する。デジタルカメラ１００は、外部マイクロホン３００が接続されている間、外部マイクロホン３００にて収音される音声信号の音声レベルを示す情報であるレベルメータ７０１を、音声レベルの選択表示の設定（レベルメータ７０１の表示又は非表示を選択する設定）に関わらず表示する。一方、デジタルカメラ１００は、外部マイクロホン３００が接続されていない間は、内部マイクロホン１１１にて収音される音声信号の音声レベルを示す情報であるレベルメータ７０１を、音声レベルの選択表示の設定に応じて表示する。以下では、図５から図７を用いて、まず撮影モード時の全体的な動作の流れについて説明し、次にモニタ表示の動作の流れについて説明し、次に表示部１９０の表示内容について説明する。
【００２２】
図５は、デジタルカメラ１００の撮影モード時の全体的な動作の流れを示すフローチャートである。電源釦１８３が操作されて電源が投入されると、デジタルカメラ１００は撮影モードに入る。また、デジタルカメラ１００は、モードダイヤル１８４が操作されて再生モードから撮影モードに切り換える指示が出された場合にも、撮影モードに入る。撮影モードに入ると、図５に示す処理が開始する。ステップＳ５０１において、コントローラ１３０は、表示部１９０に、デジタル画像・音声処理部１２０が出力するスルー画像を表示する。また、コントローラ１３０は、必要に応じて、デジタル画像・音声処理部１２０が出力する音声信号の音声レベルを判断し、音声レベルを示すレベルメータ７０１を表示部１９０に表示する。ここでいう音声レベルとは、内部マイクロホン１１１又は外部マイクロホン３００にて収音された音声信号の音声レベルである。つまり、コントローラ１３０は、内部マイクロホン１１１又は外部マイクロホン３００を介してアナログ音声処理部１１５に入力される音声信号の入力状況を判断する。ステップＳ５０１のモニタ表示の動作の詳細については、後述する。次に、ステップＳ５０２において、コントローラ１３０は、レリーズ釦１８１が押下されたかどうかを判定する。ステップＳ５０２においてレリーズ釦１８１が押下されたと判定されると、ステップＳ５０４の撮影動作が実行される。ステップＳ５０２においてレリーズ釦１８１が押下されていないと判定されると、ステップＳ５０３で撮影モードが判定される。ステップＳ５０３では、コントローラ１３０が、現在の動作モードが撮影モードかどうかを判定する。ステップＳ５０３において動作モードが撮影モードであると判定されると、撮影モード時の動作の始点であるステップＳ５０１に戻る。ステップＳ５０３において動作モードが撮影モードでないと判定されると、撮影モード時の動作が終了する。
【００２３】
図６は、図５のフローチャートに記載のモニタ表示（ステップＳ５０１）の動作の流れを示すフローチャートである。ステップＳ６０１において、コントローラ１３０は、デジタル画像・音声処理部１２０が出力するスルー画像を表示部１９０に表示する。ステップＳ６０２において、コントローラ１３０は、外部マイクロホン３００のプラグ３０３がジャック２０３に接続されているかどうかを、検出部２０２の検出結果により判定する。ステップＳ６０２において、プラグ３０３がジャック２０３に接続されている、すなわちデジタルカメラ１００に外部マイクロホン３００が接続されていると判定されると、ステップＳ６０３が実行される。上記のとおり、検出部２０２が、プラグ３０３がジャック２０３に接続されていることを検知したとき、アナログ音声処理部１１５は、外部マイクロホン３００の入力を内部マイクロホン１１１の入力よりも優先して選択して処理する。したがって、ステップＳ６０２の直後にステップＳ６０３が実行されるときの、デジタル画像・音声処理部１２０から出力される音声信号は、外部マイクロホン３００によって収音されたものである。ステップＳ６０３において、コントローラ１３０は、デジタル画像・音声処理部１２０が出力する音声レベルを示すレベルメータ７０１を、スルー画像に重ねて表示部１９０に表示する。つまり、デジタルカメラ１００に外部マイクロホン３００が接続されている間、デジタルカメラ１００は、音声レベルの選択表示に関する設定内容に関わらず、レベルメータ７０１を表示部１９０に表示する。
【００２４】
ステップＳ６０２において、プラグ３０３がジャック２０３に接続されていない、すなわちデジタルカメラ１００に外部マイクロホン３００が接続されていないと判定されると、ステップＳ６０４が実行される。上記のとおり、検出部２０２が、プラグ３０３がジャック２０３に接続されていないことを検知したとき、アナログ音声処理部１１５は、内部マイクロホン１１１の入力を選択して処理する。したがって、ステップＳ６０４の直後にステップＳ６０３が実行されるときの、デジタル画像・音声処理部１２０から出力される音声信号は、内部マイクロホン１１１によって収音されたものである。ステップＳ６０４において、コントローラ１３０は、ＲＯＭ１７０に記憶されているデジタルカメラ１００の設定内容を参照し、音声レベルの選択表示の設定がＯＮであるかどうかを判定する。ステップＳ６０４において音声レベルの選択表示の設定がＯＮであると判定されると、ステップＳ６０３が実行される。ステップＳ６０３において、コントローラ１３０は、デジタル画像・音声処理部１２０が出力する音声レベルを示すレベルメータ７０１を表示部１９０に表示する。ステップＳ６０４において、音声レベルの選択表示の設定がＯＮでないと判定されると、ステップＳ６０５が実行される。ステップＳ６０５において、コントローラ１３０は、デジタル画像・音声処理部１２０が出力する音声レベルを示すレベルメータ７０１を表示部１９０に表示しないようにする。つまり、ステップＳ６０５において、コントローラ１３０は、表示部１９０にレベルメータ７０１が現在表示されている場合には、レベルメータ７０１を消灯させ、表示されていない場合には、何もしない。ステップＳ６０３におけるレベルメータ７０１を表示する処理、もしくは、ステップＳ６０５におけるレベルメータ７０１を表示しない処理、のどちらかの処理が終了したら、モニタ表示の動作は終了する。つまり、デジタルカメラ１００に外部マイクロホン３００が接続されていないとき、デジタルカメラ１００は、使用者による設定内容に応じてレベルメータ７０１を表示部１９０に表示するかどうか判断する。
【００２５】
図７は、表示部１９０の表示内容を示す図である。撮影モード時、表示部１９０は、デジタル画像・音声処理部１２０が出力するスルー画像を表示すると同時に、デジタル画像・音声処理部１２０が出力する音声信号の音声レベルを示すレベルメータ７０１を表示することが出来る。コントローラ１３０によるレベルメータ７０１を表示するか表示しないかの判断は、図６に示すモニタ表示の動作で決定する。図６に示すモニタ表示の動作で、ステップＳ６０５に遷移して、コントローラ１３０がレベルメータ７０１を表示部１９０に表示しないことを決定すると、図７（Ａ）のようにレベルメータ７０１は表示部１９０に表示されない。図６に示すモニタ表示の動作で、ステップＳ６０３に遷移して、コントローラ１３０がレベルメータ７０１を表示部１９０に表示することを決定すると、図７（Ｂ）のようにレベルメータ７０１は表示部１９０に表示される。
【００２６】
音声レベルの選択表示の設定がＯＮとなるかＯＦＦとなるかは、次のように決定される。使用者が中央釦１８５を押下する等の所定の操作を行うと、デジタルカメラ１００は、各種設定項目の値の変更を受け付けるモードに入り、表示部１９０にメニュー画面が表示される。次に、使用者は、十字釦１８６を押下する等の所定の操作を行って、音声レベルの選択表示に関する設定項目の値が管理されている階層にアクセスする。そして、使用者は、さらに十字釦１８６を押下する等の所定の操作を行って、音声レベルの選択表示の設定をＯＮにするかＯＦＦにするかを切り替える。使用者により設定された内容は、ＲＯＭ１７０に記憶される。つまり、十字釦１８６および中央釦１８５等の操作部１８０は、レベルメータ７０１を表示するか否かの設定の入力を受け付けるユニットである。
〔３．まとめ〕
以上のように、検出部２０２により外部マイクロホン３００がデジタルカメラ１００に電気的に接続されたことが検出されると、ＲＯＭ１７０に記憶されている音声レベルの選択表示の設定によらず、コントローラ１３０が音声レベルを示すレベルメータ７０１を表示部１９０に表示する。これにより、使用者は、外部マイクロホン３００により収音されている音声信号の音声レベルを即座に（つまり、リアルタイムに）確認することが出来る。
【００２７】
外部マイクロホン３００が故障している等のなんらかの理由により収音ができない場合、音声レベルを示すレベルメータ７０１が動かないので、使用者は音声記録が出来ていないことを即座に確認することが出来る。ケーブル３０２が断線してマイクロホン３００の音声信号がデジタルカメラ１００に入力されていない場合も同様に、使用者は音声記録が出来ていないことを即座に確認することが出来る。外部マイクロホン３００が、デジタルカメラ１００に格納された電池とは別の電池で駆動するタイプであり、且つ、その電池が入っていないか若しくはその電池が消耗している場合も同様に、使用者は音声記録が出来ていないことを即座に確認することが出来る。外部マイクロホン３００が、デジタルカメラ１００とは別の電源釦で電源のＯＮとＯＦＦとを切り替えるタイプであり、且つ、その電源がＯＦＦである場合も同様に、使用者は音声記録が出来ていないことを即座に確認することが出来る。以上のように、ここに開示される技術は、使用者が音声記録が出来ていないことに気づかずに撮影することの防止に役立つ。従って、使用者は、デジタルカメラ１００が外部マイクロホン３００にて収音可能な状態にあるか否かを正確に判断することができる。
【００２８】
〔他の実施の形態〕
本発明は、上記実施の形態に限定されず、種々の実施形態が考えられる。以下、本発明の他の実施の形態について記載する。
（１）
上記実施の形態において、音声信号の入力状況を示す情報として、表示部１９０に音声信号の音声レベルを示すレベルメータ７０１を表示するものとしたが、音声信号の入力状況を示す情報の表示の態様は、これに限定されない。例えば、音声信号の入力状況を示す情報の表示の態様は、無音状態以外であるときに、音声が入力されていることを示すアイコンが表示される態様であってもよい。
（２）
上記実施の形態において、デジタルカメラ１００は、鏡筒１４１が固定された構成を有するものとした。しかし、鏡筒１４１がデジタルカメラ１００に対して交換可能であってもよい。
【００２９】
（３）
上記実施の形態において、外部マイクロホン３００は、シュー２０１に機械的に固定されるものとした。しかし、外部マイクロホン３００による収音時に、外部マイクロホン３００がシュー２０１、ひいてはデジタルカメラ１００に固定されている必要はなく、外部マイクロホン３００がデジタルカメラ１００に電気的に接続され、外部マイクロホン３００にて収音されている音声信号をデジタルカメラ１００に入力できればよい。
（４）
上記実施の形態において、外部マイクロホン３００にて収音された音声信号は、電気的に接続されたプラグ３０３およびジャック２０３を経由して、デジタルカメラ１００に入力されるものとしたが、次のように変更してもよい。
【００３０】
すなわち、シュー２０１が電気接続用の端子を備える。外部マイクロホン３００は、シュー２０１に機械的に固定されるのと同時に、この端子に電気接続される。外部マイクロホン３００は、この端子を経由して音声信号をデジタルカメラ１００に入力する。検出部２０２は、外部マイクロホン３００がシュー２０１に機械的に固定（接続）されたこと、またはこの端子に電気的に接続されたことを検出する。
（５）
上記実施の形態において、外部マイクロホン３００は、デジタルカメラ１００と有線接続されるものとした。しかし、外部マイクロホン３００は、音声信号をデジタルカメラ１００に有線接続を介して入力する必要はなく、無線接続を介して入力してもよい。その場合、例えば、外部マイクロホン３００は、マイク側通信部を備える。また、音声入力系１１０は、カメラ側通信部（接続部の一例）を備える。マイク側通信部とカメラ側通信部との間で無線接続が確立されると、デジタルカメラ１００は、外部マイクロホン３００により収音される音声信号の受信を開始する。また、無線接続が確立されると、検出部２０２が、外部マイクロホン３００がデジタルカメラ１００に接続されたことを検出する。以後の処理は、上記実施の形態と同様である。
【００３１】
（６）
上記実施の形態において、デジタル画像・音声処理部１２０およびコントローラ１３０は、各々上記のような機能および構成を有するものとして説明したが、各々の持つ機能および構成の一部が他方に含まれるような構成としてもよい。
（７）
上記実施の形態において、ＣＣＤイメージセンサ１４３を、撮像素子の一例として説明したが、本発明はこれに限定されない。すなわち、ＣＭＯＳイメージセンサや、ＮＭＯＳイメージセンサなど、他の撮像素子であっても本発明に適用可能である。
（８）
上記実施の形態において、本発明をデジタルカメラ１００に適用した例を説明したが、本発明は、音声信号を扱うことができさえすれば、画像情報を扱うことができないその他の装置にも適用可能である。例えば、本発明は、内部マイクロホンを備え、外部マイクロホンを接続可能であるボイスレコーダのような音声記録装置にも同様に適用可能である。また、本発明は、内部マイクロホンを備えていない音声記録装置にも同様に適用可能である。
【００３２】
（９）
上記実施の形態において、表示部１９０は、液晶ディスプレイであるものとしたが、本発明はこれに限定されない。表示部１９０は、例えば、ＬＥＤランプであってもよい。そして、ＬＥＤランプの点灯数、色等により、音声信号の入力状況が示されるようになっていてもよい。
（１０）
上記実施の形態では、図５および図６のフローチャートが示すとおり、外部マイクロホン３００のプラグ３０３がデジタルカメラ１００のジャック２０３に一度接続されると、当該接続が解除されない限り、レベルメータ７０１が表示され続けるものとしたが、本発明はこれに限定されない。例えば、プラグ３０３がジャック２０３に接続されると、一旦表示部１９０上にレベルメータ７０１が表示されるものの、その後、使用者が手動でレベルメータ７０１を消灯できるようにしてもよい。その場合、使用者が手動でレベルメータ７０１を消灯させた後、プラグ３０３がジャック２０３に再接続されると、再び表示部１９０上にレベルメータ７０１が表示されるようにすることが好ましい。言い換えると、プラグ３０３がジャック２０３に接続される度に、その後手動で消灯させることが可能であるにしても、一旦、表示部１９０上にレベルメータ７０１が表示されるようにすることが好ましい。
【産業上の利用可能性】
【００３３】
ここに開示される技術によれば、音声記録装置が外部マイクロホンにて収音可能な状態にあることを使用者がより正確に確認することができる。従って、ここに開示される技術は、デジタルカメラだけでなく、ムービーカメラ、携帯電話、ボイスレコーダなど、外部マイクロホンを用いて音声データの記録を行う他の種類の音声記録装置にも適用可能である。
【符号の説明】
【００３４】
１００  デジタルカメラ
１１０  音声入力系
１１１  内部マイクロホン
１１５  アナログ音声処理部
１２０  デジタル画像・音声処理部
１３０  コントローラ
１４０  画像入力系
１４１  鏡筒
１４２  レンズ制御部
１４３  ＣＣＤイメージセンサ
１５０  ＲＡＭ
１６０  外部記憶媒体
１７０  ＲＯＭ
１８０  操作部
１８１  レリーズ釦
１８２  ズームレバー
１８３  電源釦
１８４  モードダイヤル
１８５  中央釦
１８６  十字釦
１９０  表示部
１９５  スピーカー
２００  フラッシュ
２０２  検出部
２０３  ジャック
２１０  マイク孔
３００  外部マイクロホン
３０１  収音部
３０２  ケーブル
３０３  プラグ                                                                                
【国際調査報告】
2012035675.tif 000010
2012035675.tif 000011